【手続補正書】
【提出日】平成23年7月28日(2011.7.28)
【手続補正１】
【補正対象書類名】特許請求の範囲
【補正対象項目名】全文
【補正方法】変更
【補正の内容】
【特許請求の範囲】
【請求項１】
光学活性領域（１００）を有するオプトエレクトロニクスコンポーネント（１）であって、
前記光学活性領域は、
電磁放射線（４）を生成するために提供された少なくとも１つの半導体チップ（２）を有し、
動作中に前記半導体チップから放射される電磁放射線の少なくとも一部分が透過し光軸（５）を有するビーム形成素子（３）を有し、
前記ビーム形成素子（３）の少なくとも一部分は、光軸に垂直な座標系（６、７）に対して四象限対称性を有し、
前記ビーム形成素子（３）は、段差および／またはよじれを有しない滑らかな放射線出射面（３０２）を有するレンズを有する、
オプトエレクトロニクスコンポーネント。
【請求項２】
前記放射線出射面（３０２）は微分面である、
請求項１記載のオプトエレクトロニクスコンポーネント。
【請求項３】
前記ビーム形成素子（３）の一部分または前記ビーム形成素子は、光軸（５）に沿った平面視において、角部が丸められた矩形形状である、
請求項１または請求項２記載のオプトエレクトロニクスコンポーネント。
【請求項４】
前記放射線出射面は、中心領域（３１２）を有し、前記中心領域は、光軸（５）が通り、凹曲率を有し、平坦であり、または僅かに凸曲率を有し、
前記放射線出射面（３０２）は、エッジ領域（３２２）を有し、前記エッジ領域（３２２）は、光軸（５）から離れて前記中心領域（３１２）を包囲し、凸曲率を有する、
請求項１から請求項３のいずれかに記載のオプトエレクトロニクスコンポーネント。
【請求項５】
前記中心領域（３１２）は、前記放射線出射面（３０２）の平面視において、角部が丸められた矩形形状である、
請求項４記載のオプトエレクトロニクスコンポーネント。
【請求項６】
前記エッジ領域（３２２）は、前記放射線出射面（３０２）の平面視において、角部が丸められた矩形形状である、
請求項５記載のオプトエレクトロニクスコンポーネント。
【請求項７】
前記ビーム形成素子（３）の全体は、四象限対称性を有する、
請求項１から請求項３のいずれかに記載のオプトエレクトロニクスコンポーネント。
【請求項８】
光軸（５）は、少なくとも１つの半導体チップ（２）を通る、
請求項１から請求項７のいずれかに記載のオプトエレクトロニクスコンポーネント。
【請求項９】
前記少なくとも１つの半導体チップ（２）は、四象限対称性を有する、
請求項８記載のオプトエレクトロニクスコンポーネント。
【請求項１０】
四象限対称性を有するように配置された複数の半導体チップ（２）を有する、
請求項１から請求項９のいずれかに記載のオプトエレクトロニクスコンポーネント。
【請求項１１】
少なくとも１つの半導体チップ（２）が配置されたハウジング（９）を有する、
請求項１から請求項１０のいずれかに記載のオプトエレクトロニクスコンポーネント。
【請求項１２】
前記ビーム形成素子（３）は、前記ハウジング（９）と別に製造され、それに装着される、
請求項１１記載のオプトエレクトロニクスコンポーネント。
【請求項１３】
赤色域に発光極大を有する少なくとも１つの半導体チップ（２）、緑色域に発光極大を有する少なくとも１つの半導体チップ（２）、および／または、青色域に発光極大を有する少なくとも１つの半導体チップを有する、
請求項１から請求項１２のいずれかに記載のオプトエレクトロニクスコンポーネント。
【請求項１４】
動作中に第１のスペクトル分布を有する電磁放射線（４）を放射する第１の半導体チップ（２）を有し、動作中に第２のスペクトル分布を有する電磁放射線（４）を放射する第２の半導体チップ（２）を有する、
請求項１から請求項１３のいずれかに記載のオプトエレクトロニクスコンポーネント。
【請求項１５】
動作中に第３のスペクトル分布を有する電磁放射線（４）を放射する第３の半導体チップ（２）を有する、
請求項１４記載のオプトエレクトロニクスコンポーネント。
【請求項１６】
動作中に白色感を有する光を発光する、
請求項１から請求項１５のいずれかに記載のオプトエレクトロニクスコンポーネント。
【請求項１７】
請求項１から請求項１６のいずれかに記載のオプトエレクトロニクスコンポーネント（１）を有する、照明装置。
【請求項１８】
オプトエレクトロニクスコンポーネント（１）を包囲し、ビーム形成素子（３）の光軸（５）に平行に配置された反射性側面（１１）を有する、
請求項１７記載の照明装置。
【請求項１９】
前記反射性側面（１１）は、光軸（５）に沿った平面視において矩形または正方形の形状に配置される、
請求項１８記載の照明装置。
【請求項２０】
光軸（５）が互いに本質的に平行に配置された請求項１から請求項１９のいずれかに記載の複数のオプトエレクトロニクスコンポーネント（１）を有する、
請求項１７記載の照明装置。
【請求項２１】
前記オプトエレクトロニクスコンポーネント（１）は、グリッド（１４）のグリッド点に配置され、
前記グリッド（１４）は、平行四辺形、矩形または正方形の形状である基本単位（１４０）を有する、
請求項２０記載の照明装置。
【請求項２２】
前記オプトエレクトロニクスコンポーネント（１）は、光軸（５）に垂直な平面（８）上で隣接するコンポーネントによって照明される領域が少なくとも所々で交差するように配置される、
請求項２１記載の照明装置。
【請求項２３】
前記オプトエレクトロニクスコンポーネント（１）の光軸（５）に平行に配置され前記オプトエレクトロニクスコンポーネントを包囲する反射性側面（１１）を有し、
前記反射性側面（１１）は、グリッド（１４）のグリッド線（６、７）に平行である、
請求項２１または請求項２２記載の照明装置。
【請求項２４】
１つの側面（１１）は鏡面化された側面であり、前記鏡面化された側面および１つの隣接するオプトエレクトロニクスコンポーネント（１）は、前記グリッド（１４）の基本単位（１４０）の側部の長さ（Ｄｘ、Ｄｙ）の半分に対応する距離だけ互いに離れている、
請求項２３記載の照明装置。
【請求項２５】
動作中に第１のスペクトル分布を有する電磁放射線（４）を放射する第１のオプトエレクトロニクスコンポーネント（１）を有し、動作中に第２のスペクトル分布を有する電磁放射線（４）を放射する第２のオプトエレクトロニクスコンポーネント（１）を有する、
請求項２１から請求項２４のいずれかに記載の照明装置。
【請求項２６】
動作中に第３のスペクトル分布を有する電磁放射線（４）を放射する第３のオプトエレクトロニクスコンポーネント（１）を有する、
請求項２５記載の照明装置。
【請求項２７】
赤色域に発光極大を有する少なくとも１つのオプトエレクトロニクスコンポーネント（１）、緑色域に発光極大を有する少なくとも１つのオプトエレクトロニクスコンポーネント（１）、および／または、青色域に発光極大を有する少なくとも１つのオプトエレクトロニクスコンポーネント（１）を有する、
請求項１７から請求項２６のいずれかに記載の照明装置。
【請求項２８】
動作中に白色感を有する光を発光する、
請求項１７から請求項２７のいずれかに記載の照明装置。
【請求項２９】
前記オプトエレクトロニクスコンポーネント（１）から放射される電磁放射線（４）の少なくとも一部分が出力される拡散面（１２）を有する、
請求項１７から請求項２８のいずれかに記載の照明装置。
【請求項３０】
前記拡散面（１２）は、前記オプトエレクトロニクスコンポーネント（１）によって均一に背面照射される、
請求項２９記載の照明装置。
【請求項３１】
例えばＬＣＤ用のバックライト装置である、
請求項１７から請求項３０のいずれかに記載の照明装置。